(57)【特許請求の範囲】
【請求項１】
整流チャンバー架台上にユニット本体を設け、該ユニット本体の内部を第１のセクションと、該第１のセクションの下方に設けられた第２のセクションと、前記第１のセクションに隣接して前記第２のセクションに第４のセクションを介して連通可能に設けられた第３のセクションとを含む所望複数列のセクションに縦横に区分し、このうち第１のセクションは、上流側に室内空気を吸入可能な吸気口を設け内部には還気ファンを下向きに配置して回転数を制御可能に還気ファン用駆動モータを内設するとともに下部には空気室が設けられ、該空気室を介して前記第１のセクションの下方には第２のセクションが設けられ、該第２のセクションは内部に回転数が制御可能となる給気ファン用駆動モータに連動される給気ファンが下向きに配置され下部は前記整流チャンバー架台と連通可能に設けられ、前記空気室に連通可能に前記第１のセクションに隣接して設けた前記第３のセクションは外側面に必要時に外気を吸入する外気取入口と吸入した外気量に見合う量の排気を行う排気口とが設けられ、内部には負荷に対応して吹出温度を制御する制御手段に連結した全熱交換器等の所望構成部品が内設され、前記第４のセクションは、前記第３のセクションの下方に前記第２のセクションに隣接して連通可能に設けられ、前記第２のセクション下部と連通可能に設けられた前記整流チャンバー架台を介して調和空気を床下に吹き出すことを特徴とする床置形空気調和機。
【請求項２】
整流チャンバー架台上にユニット本体を設け、該ユニット本体の内部を第１のセクションと、該第１のセクションの下方に設けられた第２のセクションと、前記第１のセクションに隣接して前記第２のセクションに第４のセクションを介して連通可能に設けられた第３のセクションとを含む所望複数列のセクションに縦横に区分し、このうち第１のセクションは、上流側に室内空気を吸入可能な吸気口を設け内部には単一の上部架台上に下向きに還気ファンと回転数を制御可能に還気ファン用駆動モータとを固定し、前記上部架台を防振材を介して吊りボルト等にて懸架するとともに下部には空気室が設けられ、該空気室を介して隣接する第３のセクションと連通し前記第１のセクションの下方には第２のセクションが設けられ、該第２のセクションは内部に単一の下部架台上に下向きに給気ファンと回転数が制御可能となる給気ファン用駆動モータとを固定して前記下部架台を防振材を介して吊りボルト等にて懸架し下部は前記整流チャンバー架台と連通可能に設けられ、第１のセクションの下部の前記空気室に連通可能に前記第１のセクションに隣接して設けた前記第３のセクションは外側面に必要時に外気を吸入する外気取入口と吸入した外気量に見合う量の排気を行う排気口とが設けられ、内部には負荷に対応して吹出温度を制御する制御手段に連結された全熱交換器等の所望構成部品が内設され、前記第３のセクションの下方に前記第２のセクションに隣接して該第２のセクション上部の給気ファン室と連通可能に設けられた前記第４のセクションには内部に熱交換コイル等の熱交換用の所望構成部品が内設され、前記第２のセクション下部の空気室と連通可能に設けられた前記整流チャンバー架台を介して調和空気を床下に吹き出すことを特徴とする床置形空気調和機。
【請求項３】
前記全熱交換器は、第１のセクションと、第４のセクションを通して第２のセクションと、第３のセクションの側面の排気口との間に連通可能に設けられる排気通路と、第３のセクション側面の外気取入口と、第４のセクションと連通する外気吸気通路と前記空気室の連通路との３叉路に跨るように設けられ、該全熱交換器を中心として負荷に対応して吹出温度を制御する制御手段としてのモータダンパーが前記３叉路に連通可能に設置されたことを特徴とする請求項１または２の何れかに記載の床置形空気調和機。
【発明の詳細な説明】
【０００１】
【発明の属する技術分野】
本発明は、床置形空気調和機に関し、外容積がコンパクトにして厚み方向の奥行の薄形設計がはかれ、特に機械室に設けることなく居住域に設置されてアンダーフロア空調用の空気調和機として最適に使用され、しかも内部各部の圧力損失が少なく、騒音や振動を少なくするものである。
【０００２】
【従来の技術】
従来、アンダーフロア空調用に用いる空気調和機は、空気調和を行う部屋の近傍に機械室を設け、この機械室内に設置されるように製作、設計され、上流側に吸気口と下流側に排気口を有するハウジング内部に上流側には駆動用モータにより駆動される吸気ファンと下流側には空気を加熱したり、冷却するための熱交換コイルとが設けられている。そして、調和機自体は、縦横の寸法が大きく外容積は大型化され、しかも奥行寸法が厚く形成される。
【０００３】
【発明が解決しようとする課題】
しかしながら上記従来の空気調和機は、調和空気によって冷房または暖房を行う居住区の近傍に設けられる専用の機械室を空気調和機を設置するのに必要とするため、建物の有効スペースが狭まるという問題があった。また、調和機自体は、縦横の寸法が大きく外容積は大型化され、奥行寸法が厚く形成されているので、邪魔になり居住区となる室内に空気調和機自体を露出して設置するのには不向きであった。しかも、空気調和機は大型化されるので、吸気ファンや駆動用モータ自体も大きくなり、大きな騒音または振動が発生する原因になっていた。
【０００４】
本発明は上記従来の空気調和機の欠点を解決し、外容積がコンパクトにして奥行の薄形設計がはかれ、空気調和機を設置するための専用の機械室を必要とすることなく居住区に最適に設置されてアンダーフロア空調が行え、しかも運転時には内部各部の圧力損失が少なく、騒音や振動が少なく、製作および組付けが効率的に行える床置形空気調和機を提供するものである。
【０００５】
【課題を解決するための手段】
本発明は上記課題に鑑みなされ、請求項１に記載の発明は、整流チャンバー架台上にユニット本体を設け、該ユニット本体の内部を第１のセクションと、該第１のセクションの下方に設けられた第２のセクションと、前記第１のセクションに隣接して前記第２のセクションに第４のセクションを介して連通可能に設けられた第３のセクションとを含む所望複数列のセクションに縦横に区分し、このうち第１のセクションは、上流側に室内空気を吸入可能な吸気口を設け内部には還気ファンを下向きに配置して回転数を制御可能に還気ファン用駆動モータを内設するとともに下方には空気室が設けられ、該空気室を介して前記第１のセクションの下方には第２のセクションが設けられ、該第２のセクションは内部に回転数が制御可能となる給気ファン用駆動モータに連動される給気ファンが下向きに配置され下部は前記整流チャンバー架台と連通可能に設けられ、前記空気室に連通可能に前記第１のセクションに隣接して設けた前記第３のセクションは外側面に必要時に外気を吸入する外気取入口と吸入した外気量に見合う量の排気を行う排気口とが設けられ、内部には負荷に対応して吹出温度を制御する制御手段に連結した全熱交換器等の所望構成部品が内設され、前記第４のセクションは、前記第３のセクションの下方に前記第２のセクションに隣接して連通可能に設けられ、第２のセクションの内部の給気ファンによって、この第２のセクションと連通可能に設けられた前記整流チャンバー架台を介して調和空気を床下に吹き出すことを特徴とする。
【０００６】
また本発明の請求項２に記載の発明は、整流チャンバー架台上にユニット本体を設け、該ユニット本体の内部を第１のセクションと、該第１のセクションの下方に設けられた第２のセクションと、前記第１のセクションに隣接して前記第２のセクションに第４のセクションを介して連通可能に設けられた第３のセクションとを含む所望複数列のセクションに縦横に区分し、このうち第１のセクションは、上流側に室内空気を吸入可能な吸気口を設け内部には単一の上部架台上に下向きに還気ファンと回転数を制御可能に還気ファン用駆動モータとを固定し、前記上部架台を防振材を介して吊りボルト等にて懸架するとともに下部には空気室が設けられ、該空気室を介して隣接する第３のセクションと連通し前記第１のセクションの下方には第２のセクションが設けられ、該第２のセクションは内部に単一の下部架台上に下向きに給気ファンと回転数が制御可能となる給気ファン用駆動モータとを固定して前記下部架台を防振材を介して吊りボルト等にて懸架し下部は前記整流チャンバー架台と連通可能に設けられ、第１のセクション下部の前記空気室に連通可能に前記第１のセクションに隣接して設けた前記第３のセクションは外側面に必要時に外気を吸入する外気取入口と吸入した外気量に見合う量の排気を行う排気口とが設けられ、内部には負荷に対応して吹出温度を制御する制御手段に連結された全熱交換器等の所望構成部品が内設され、前記第３のセクションの下方に前記第２のセクションに隣接して該第２のセクション上部の給気ファン室と連通可能に設けられた前記第４のセクションは内部に熱交換コイル等の熱交換用の所望構成部品が内設され、前記第２のセクション下部の空気室と連通可能に設けられた前記整流チャンバー架台を介して調和空気を床下に吹き出すことを特徴とする。
【０００７】
さらに、本発明の請求項３に記載の発明は、請求項１または２の何れかにおいて、前記全熱交換器は、第１のセクションと、第４のセクションを通して第２のセクションと、第３のセクション側面の排気口との間に連通可能に設けられる排気通路と、第３のセクション側面の外気取入口と第４のセクションと連通する外気吸気通路と前記空気室の連通路との３叉路に跨るように設けられ、該全熱交換器を中心として負荷に対応して吹出温度を制御する制御手段としてのモータダンパーが前記３叉路に連通可能に設置されたことを特徴とする。
【０００８】
【発明の実施の形態】
以下、図に従って本発明の実施の形態の具体例を説明する。
図１ないし図３は本発明の一実施形態を示し、１はユニット本体であり、このユニット本体１は整流チャンバー架台２上に設けられる。そして、整流チャンバー架台２が空調を行う部屋３の床下４に配置されるようにユニット本体１は設置される。また、ユニット本体１は内部を第１のセクションＳ１と、該第１のセクションＳ１の下方に設けられた第２のセクションＳ２と、前記第１のセクションＳ１に隣接して前記第２のセクションＳ２に第４のセクションＳ４を介して連通可能に設けられた第３のセクションＳ３とを含む所望複数列のセクションＳ１,Ｓ２・・・Ｓ６に縦横に区分される。４Ａは床パネルであり、この床パネル４Ａは多孔板により形成され、床下４にユニット本体１から導入される空気が床パネル４Ａに設けられた多数の孔を通じて部屋３に吹き出されるようになっている。
【０００９】
このうち、第１のセクションＳ１は、上流側、図ではユニット本体１の上方に部屋３の室内空気Ｋ１を吸入可能な吸気口１Ａを設け内部には還気ファン５を下向きに配置して回転数を制御可能に還気ファン用駆動モータ６を内設するとともに下部には空気室７が横長に設けられる。
前記還気ファン５と還気ファン用駆動モータ６とは単一の上部架台８に固定され、この上部架台８はコイルばね等の防振材９を介して吊りボルト１０と図には示さないナット等とにより複数個所にてユニット本体１内に懸架される。
【００１０】
第２のセクションＳ２は、前記空気室７を介して第１のセクションＳ１の下方に設けられ、この第２のセクションＳ２は内部に回転数が制御可能となる給気ファン用駆動モータ１２により駆動される給気ファン１１が下向きに配置され下部は空気室１３を介して前記整流チャンバー架台２と連通可能に設けられる。
前記給気ファン１１と給気ファン用駆動モータ１２とは単一の下部架台１４に固定され、この下部架台１４は同様にコイルばね等の防振材９を介して吊りボルト１０と図には示さないナット等とにより複数個所にてユニット本体１内に懸架される。
【００１１】
第３のセクションＳ３は、前記空気室７に連通可能に前記第１のセクションＳ１の図では左隣に隣接して設けられ、この第３のセクションＳ３には外側面に必要時に外気Ｋ２を吸入して外気の取り入れを行うために外気用吸気口１５と、排気を行うための排気口１６とが設けられる。またセクションＳ３の内部には負荷に対応して吹出温度を制御する制御手段１７に連結した全熱交換器１８等の所望の構成部品が内設される。前記熱交換器１８は、この実施形態では回転形であり、第１のセクションＳ１と第３のセクションＳ３とにわたり横一列に跨る排気通路１９と、外気用吸気通路２０と、前記空気室７との３叉路に跨るように略中央に設けられる。２１Ａ,２１Ｂ,２１Ｃは全熱交換器１８を中心として前記３叉路に連通可能に設けられる制御手段としてのモータダンパーであり、このモータダンパー２１Ａ,２１Ｂ,２１Ｃは負荷に対応してユニット本体１の整流チャンバー架台２からの調和空気Ｋ３の吹出温度を制御するための制御手段１７を形成するためのものである。またこれらのモータダンパー２１Ａ,２１Ｂ,２１Ｃは、モータの駆動力により複数個のルーバーを自動的に開閉することにより排気通路１９と、外気用吸気通路２０と、空気室７との通過空気量を反比例的に通過制御するようになっている。
【００１２】
具体的には、セクションＳ３において外気Ｋ２を導入しながら冷房または暖房を行う場合に、モータダンパー２１Ａ,２１Ｂの開閉度を調整すると、排気通路１９と外気用吸気通路２０に対して全熱交換器１８を通過する空気量が反比例的に制御されるようになっている。
【００１３】
また、室内空気Ｋ１と外気Ｋ２との温度差が大きい季節的には例えば夏または冬などにおいて空気調和機の運転を開始する直後等の必要時には、外気Ｋ２を導入することなく室内空気Ｋ１のみを吸気口１Ａからユニット本体１内に吸入することにより冷房または暖房が行われる。
【００１４】
この場合には、モータダンパー２１Ａ,２１Ｂは閉じたまま空気室７に連通する通路に設けたモータダンパー２１Ｃを全開にすることにより室内空気Ｋ１を吸気口１ＡからセクションＳ１内に吸入する空気量を全量となるように制御してユニット本体１内に採り入れられる室内空気Ｋ１を空気室７に連通する第４のセクションＳ４内に設けた熱交換コイル２２により冷やすか、または加熱することにより給気ファン１１により後段に移送し、整流チァンバー架台２から調和空気Ｋを床下４に送気する。２３，２４はエアーフィルターである。
【００１５】
Ｓ４は第４のセクションであり、このセクションＳ４は前記第３のセクションＳ３の下方に第２のセクションＳ２に隣接して設けられ、内部には熱交換コイル２２、加湿器２５等の熱交換用の所望構成部品が内設される。この加湿器２５は気化式のものが最適に使用される。
【００１６】
Ｓ５は第５のセクションであり、この第５のセクションＳ５は、前記第３のセクションＳ３の反対側の外側に第１のセクションＳ１に隣接して設けられ、内部には還気ファン５を駆動制御するための還気ファン用動力制御盤２６と、配管接続管２７とが内設される。
【００１７】
Ｓ６は第６のセクションであり、この第６のセクションＳ６は、前記第４のセクションＳ４の反対側の外側に第２のセクションＳ２に隣接して設けられ、内部には給気ファン１１を駆動制御するための給気ファン用動力制御盤２８が内設される。
【００１８】
本発明の一実施態様は以上の構成からなり、外気Ｋ２をユニット本体１内に導入して換気を行いながら、冷房または暖房を行う場合には、排気通路１９から排気し、外気用吸気通路２０から外気Ｋ２を吸入することにより行われるが、吸入された外気Ｋ２は排気通路１９と外気用吸気通路２０の交叉位置に設けられた回転形の全熱交換器１８により加熱または冷却がなされ、後段の空気室７へと移送される。
【００１９】
この際、排気通路１９または外気用吸気通路２０に交叉して設ける全熱交換器１８に対してモータダンパー２１Ａ，２１Ｂの開閉度を自動的に調整すると、排気通路１９から全熱交換器１８に通過される室内空気Ｋ１の通過量、また外気用吸気通路２０から全熱交換器１８に通過される外部空気Ｋ２の通過量は反比例的に加減される。従って、後述のようにユニット本体１の整流チャンバー架台２から吹き出される調和空気Ｋ３の吹き出し温度を負荷に応じて制御することができる。
【００２０】
その後、外気Ｋ２は空気室７に連通する第４のセクションＳ４に内設された熱交換コイル２２により加熱または冷却が行われる。それから、加湿器２５により加湿された外気Ｋ２は、第１のセクションＳ１の下部に設けられた第２のセクションＳ２内へと給気ファン１１により送られ、下方の空気室１３を経て整流チャンバー架台２から床下４へと給気がなされ、多孔板により形成された床ボード４Ａを通じて部屋３へ給気がなされ、暖房または冷房が行なわれる。
【００２１】
この際、外気の影響を受けて熱損失が大きい窓側であるとか、部屋３内に設置される熱発生源である負荷の設置場所、設置数等に対応して部屋３に敷き詰める床ボード４Ａの設置場所、設置数を選択することにより必要空調空気量を減らして空気搬送動力を減らし、必要な個所のみを効率的に冷房または暖房を行い、無駄を省くようにする。従って、熱交換コイル２２を、大温度差仕様のものを採用することにより冷温水循環量と熱源動力を減少させて省エネルギー化をはかることができる。
【００２２】
このように、外気Ｋ２をユニット本体１内に導入する外気導入空調方法は、例えば負荷が室内発熱分しか存在しない春、秋などの中間期において冷房を行う場合に、負荷に応じてモータダンパー２１Ａ,２１Ｂの開閉度を自動的に調整することにより整流チャンバー架台２からの調和空気Ｋ３の吹き出し温度を負荷に見合って制御するのに最適である。
【００２３】
また、例えば室内空気Ｋ１と外気Ｋ２との温度差が大きい季節的に例えば夏または冬においては、空気調和機の運転を開始する直後に外気Ｋ２を導入することなく室内空気Ｋ１のみを吸気口１Ａからユニット本体１内に吸入して冷房または暖房が行われる。
【００２４】
この場合、ユニット本体１内のセクションＳ１内に内設した還気ファン用駆動モータ６を駆動することにより還気ファン５を駆動するとともに給気ファン用駆動モータ１２を駆動させて給気ファン１１を駆動することにより吸気口１Ａから室内空気Ｋ１をユニット本体１内に吸入し、セクションＳ１の下部の空気室７へと送る。
この際、外気用吸気口１５および排気口１６と、ユニット本体１のセクション４内に全熱交換器１８を中心として還気用排気通路１９と還気用吸気通路２０とに連通して設けられるモータダンパー２１Ａ,２１Ｂは閉じたままであり、外気Ｋ２の取入れは行われない。
【００２５】
それから、室内空気Ｋ１は、空気室７に連通する第３のセクションＳ３の下部に設けたセクションＳ４に内設される熱交換コイル２２により加熱されるかまたは冷却され、加熱時にはさらに加湿器２５により加湿され、給気ファン１１の駆動により下方へと送気され、後段の空気室１３を経て整流チャンバー架台２から床下４へと給気される。
【００２６】
またユニット本体１内に取付けられる還気ファン５および給気ファン１１は、それぞれ還気ファン用駆動モータ６、給気ファン用駆動モータ１２と一緒に単一の上部架台８と下部架台１４とに固定され、それぞれコイルばね等の防振材９を介して吊りボルト１０や図には示さないナット等により複数個所において懸架されて吊り下げられているので、防振材９を取付けるための余分なスペースを周囲に必要とすることなく、運転時の振動は防振材９により確実に吸収される。
【００２７】
また、上部架台８と下部架台１４にそれぞれ固定される還気ファン５と還気ファン用駆動モータ６、給気ファン１１と給気ファン用駆動モータ１２とは前述のように,コイルばね等の防振材９を介して吊りボルト１０と図には示さないナット等によりユニット本体１内に吊り下げられるので、還気ファン５と還気ファン用駆動モータ６、給気ファン１１と給気ファン用駆動モータ１２とが故障したり、交換を必要とする場合に保守、点検を容易かつ確実に行うことができる。
【００２８】
しかも、ユニット本体１内に装備される内装部品の中で最も大きな外容積を占める還気ファン５と給気ファン１１は、前述のように単一の上部架台８と単一の下部架台１４に固定されて取付部品の共用化がはかれるのと、防振材９と吊りボルト１０等とを用いて複数個所において吊り下げられることにより取付構造の簡素化がはかれるのと、還気ファン５と給気ファン１１とはユニット本体１内に上下略同一線上に整列化して取付られるので、還気ファン５と給気ファン１１との寸法は最小限なものを採用することができるとともに、ユニット本体１の外容積における縦横の寸法をコンパクトでき、奥行の薄形設計をはかることができる。
【００２９】
またユニット本体１を載置する整流チャンバー架台２は、その幅一杯に空気吹き出し口を形成しているので、調和空気Ｋ３の吐出風速を抑制して床下４に吹き出すことにより、調和空気Ｋ３の均一な流れを確保することができる。また、チャンバーによる空気圧力損失を低く抑えることにより、結果として給気ファン１１等の送風機に要求される送風圧力を低くすることができ、送風機から発生する騒音、振動を低減させて居住域への露出設置を可能とした。
【００３０】
また、還気駆動用モータ６と、給気駆動用モータ１２との回転速度、オンオフ等を制御するための還気ファン用動力制御盤２６はセクションＳ５に設けられ、また給気ファン用動力制御盤２８はセクションＳ６に内設されて空気の流通路を阻害しないので、ユニット本体１内部での空気の流れに影響を与えないため、空気の圧力損失を発生させず、ユニット本体１内の空気の圧力損失を低減させ、送風機からの騒音の発生が低減できる。
【００３１】
【発明の効果】
本発明の請求項１は以上のように、整流チャンバー架台上にユニット本体を設け、該ユニット本体の内部を第１のセクションと、該第１のセクションの下方に設けられた第２のセクションと、前記第１のセクションに隣接して前記第２のセクションに第４のセクションを介して連通可能に設けられた第３のセクションとを含む所望複数列のセクションに縦横に区分し、このうち第１のセクションは、上流側に室内空気を吸入可能な吸気口を設け内部には還気ファンを下向きに配置して回転数を制御可能に還気ファン用駆動モータを内設するとともに下部には空気室が設けられ、該空気室を介して前記第１のセクションの下方には第２のセクションが設けられ、該第２のセクションは内部に回転数が制御可能となる給気ファン用駆動モータに連動される給気ファンが下向きに配置され下部は前記整流チャンバー架台と連通可能に設けられ、前記空気室に連通可能に前記第１のセクションに隣接して設けた前記第３のセクションは外側面に必要時に外気を吸入する外気取入口と吸入した外気量に見合う量の排気を行う排気口とが設けられ、内部には負荷に対応して吹出温度を制御する制御手段に連結した全熱交換器等の所望構成部品が内設され、前記第４のセクションは、前記第３のセクションの下方に前記第２のセクションに隣接して連通可能に設けられ、前記第２のセクション下部と連通可能に設けられた前記整流チャンバー架台を介して調和空気を床下に吹き出すことを特徴とするので、外容積がコンパクトにして奥行の設計がはかれ、空気調和機を設置するための専用の機械室を必要とすることなく居住区に最適に設置されてアンダーフロア空調が行え、しかも運転時には内部各部の圧力損失が少なく、製作および組付が効率的に行うことができる。
【００３２】
また本発明の請求項２に記載の発明は、整流チャンバー架台上にユニット本体を設け、該ユニット本体の内部を第１のセクションと、該第１のセクションの下方に設けられた第２のセクションと、前記第１のセクションに隣接して前記第２のセクションに第４のセクションを介して連通可能に設けられた第３のセクションとを含む所望複数列のセクションに縦横に区分し、このうち第１のセクションは、上流側に室内空気を吸入可能な吸気口を設け内部には単一の上部架台上に下向きに還気ファンと回転数を制御可能に還気ファン用駆動モータとを固定し、前記上部架台を防振材を介して吊りボルト等にて懸架するとともに下部には空気室が設けられ、該空気室を介して隣接する第３のセクションと連通し前記第１のセクションの下方には第２のセクションが設けられ、該第２のセクションは内部に単一の下部架台上に下向きに給気ファンと回転数が制御可能となる給気ファン用駆動モータとを固定して前記下部架台を防振材を介して吊りボルト等にて懸架し下部は前記整流チャンバー架台と連通可能に設けられ、第１のセクション下部の前記空気室に連通可能に前記第１のセクションに隣接して設けた前記第３のセクションは外側面に必要時に外気を吸入する外気取入口と吸入した外気量に見合う量の排気を行う排気口とが設けられ、内部には負荷に対応して吹出温度を制御する制御手段に連結された全熱交換器等の所望構成部品が内設され、前記第３のセクションの下方に前記第２のセクションに隣接して連通可能に設けられた前記第４のセクションには内部に熱交換コイル等の熱交換用の所望構成部品が内設され、前記第２のセクション下部の空気室と連通可能に設けられた前記整流チャンバー架台を介して調和空気を床下に吹き出すことを特徴とするので、余分な取付スペースを要することなく確実に振動を吸収することができ、また還気ファン、還気ファン用駆動モータ、給気ファン、給気ファン用駆動モータ等の送風系部品の保守、点検が容易かつ確実に行え、しかもこれら送風系部品は最小限の寸法のものを採用することができ、もってユニット本体の外容積をコンパクト化し、奥行の薄形設計がはかれる。
【００３３】
さらに、本発明の請求項３に記載の発明は、請求項１または２の何れかにおいて、前記全熱交換器は、第１のセクションと、第４のセクションを通して第２のセクションと、第３のセクション側面の排気口との間に連通可能に設けられる排気通路と、第３のセクション側面の外気取入口と、第４のセクションと連通する外気吸気通路と前記空気室の連通路との３叉路に跨るように設けられ、該全熱交換器を中心として負荷に対応して吹出温度を制御する制御手段としてのモータダンパーが前記３叉路に連通可能に設置されたことを特徴とするので、給気口から室内空気を吸気することにより暖房または冷房が行え、また外気をユニット本体内に導入して換気を行いながら暖房または冷房を行うことができる。
【図面の簡単な説明】
【図１】本発明の床置形空気調和機の一実施態様を示す斜視図である。
【図２】同じく断面図である。
【図３】同じく本実施態様を構成する床下パネルを示す斜視図である。
【符号の説明】
１    ユニット本体
２    整流チャンバー架台
４    床下
５    還気ファン
６    還気ファン用駆動モータ
７    空気室
８    上部架台
９    防振材
１０  吊りボルト
１１  給気ファン
１２  給気ファン用駆動モータ
１３  空気室
１５  外気用吸引口
１６  排気口
１８  全熱交換器
２２  熱交換コイル
Ｋ１  室内空気
Ｋ２  外気
Ｋ３  調和空気
Ｓ１  セクション
Ｓ２  セクション
Ｓ３  セクション
Ｓ４  セクション
【図１】
0003701587.tif 000002
【図２】
0003701587.tif 000003
【図３】
0003701587.tif 000004